(57)【要約】【課題】  本発明の目的の１つは、無線環境の変化を考慮した無線通信装置、移動局を提供することである。【解決手段】  本発明では、ＨＳＤＰＡに対応し、無線基地局が行う適応変調制御に用いられるＣＱＩ情報を送信する移動局において、該無線基地局からの受信信号に基づいて無線環境の変化を監視する無線環境監視部と、該監視部による監視結果に応じて、該無線基地局からの受信品質の変化の方向を反映したＣＱＩ情報を生成するＣＱＩ生成部と、該生成したＣＱＩ情報を前記無線基地局に送信する送信部と、を備えたことを特徴とする移動局を用いる。【選択図】        図３
2006157133.tif 000002
【特許請求の範囲】
【請求項１】
適応変調制御を行う送信装置に対して該適応変調制御に用いられるパラメータを送信する通信装置において、
該送信装置からの受信信号に基づいて無線環境の変化を監視する無線環境監視部と、
該送信装置からの受信信号の受信品質と、前記適応変調制御に用いるパラメータとの対応関係を記憶する記憶部と、
該無線環境監視部により前記無線環境の変化が良好な方向へ変化していることを検出すると、測定した受信品質に対応するパラメタータよりも更に高速な送信形式に対応するパラメータを選択するパラメータ生成部と、
該選択したパラメータを送信する送信部と、
を備えたことを特徴とする無線通信装置。
【請求項２】
適応変調制御を行う送信装置に対して該適応変調制御に用いられるパラメータを送信する通信装置において、
該送信装置からの受信信号に基づいて無線環境の変化を監視する無線環境監視部と、
該送信装置からの受信信号の受信品質と、前記適応変調制御に用いるパラメータとの対応関係を記憶する記憶部と、
該無線環境監視部により前記無線環境の変化が良好でない方向へ変化していることを検出すると、測定した受信品質に対応するパラメタータよりも更に低速な送信形式に対応するパラメータを選択するパラメータ生成部と、
該選択したパラメータを送信する送信部と、
を備えたことを特徴とする無線通信装置。
【請求項３】
ＨＳＤＰＡに対応し、無線基地局が行う適応変調制御に用いられるＣＱＩ情報を送信する移動局において、
該無線基地局からの受信信号に基づいて無線環境の変化を監視する無線環境監視部と、
該監視部による監視結果に応じて、該無線基地局からの受信品質の変化の方向を反映したＣＱＩ情報を生成するＣＱＩ生成部と、
該生成したＣＱＩ情報を前記無線基地局に送信する送信部と、
を備えたことを特徴とする移動局。
【請求項４】
適応変調制御を行う送信装置に対して該適応変調制御に用いられるパラメータを送信する通信装置において、
該適応変調制御により送信されたデータについて測定したエラーレイトと基準エラーレイトとの関係に基づいて、前記適応変調制御に用いられるパラメータを生成する生成部と、
該生成したパラメータを送信する送信部と、
を備えたことを特徴とする無線通信装置。
【請求項５】
該送信装置からの受信信号の受信品質と、前記適応変調制御に用いるパラメータとの対応関係を記憶した記憶部を備え、
前記生成部は、測定した受信品質に対応するパラメータを、測定したエラーレイトと基準エラーレイトとの大小関係により補正して前記生成を行う、
ことを特徴とする請求項４記載の無線通信装置。
【請求項６】
ＨＳＤＰＡに対応し、無線基地局が行う適応変調制御に用いられるＣＱＩ情報を送信する移動局において、
ＨＳ−ＰＤＳＣＨを介して受信したデータのエラーレイトと基準エラーレイトとの大小関係に応じて、ＣＰＩＣＨの受信品質に対応するＣＱＩ情報を補正するＣＱＩ生成部と、
補正後のＣＱＩ情報を送信する送信部と、
を備えたことを特徴とする移動局。
【発明の詳細な説明】
【技術分野】
【０００１】
本発明は、無線通信装置に関し、例えば、Ｗ−ＣＤＭＡ（ＵＭＴＳ）通信方式を採用した移動無線通信システムで用いられる移動局に関する。
【背景技術】
【０００２】
現在、３ＧＰＰ（３rd  Generation Partnership Project）で、第３世代移動通信システムの１つの方式であるＷ−ＣＤＭＡ（ＵＭＴＳ）方式の標準化が進められている。そして、標準化のテーマの１つとして下りリンクで最大約１４Ｍｂｐｓの伝送速度を提供するＨＳＤＰＡ（High Speed Downlink Packet Access）が規定されている。
【０００３】
ＨＳＤＰＡは、適応符号化変調方式（ＡＭＣ：Adaptive Modulation and Coding）を採用しており、例えば、ＱＰＳＫ変調方式と１６値ＱＡＭ方式とを基地局、移動局間の無線環境に応じて適応的に切りかえることを特徴としている。
【０００４】
また、ＨＳＤＰＡは、Ｈ−ＡＲＱ（Hybrid Automatic Repeat reQuest）方式を採用している。Ｈ−ＡＲＱでは、移動局は基地局からの受信データについて誤りを検出した場合に、当該基地局に対して再送要求を行う。この再送要求を受信した基地局は、データの再送を行うので、移動局は、既に受信済みのデータと、再送された受信データとの双方を用いて誤り訂正復号化を行う。このようにＨ−ＡＲＱでは、誤りがあっても、既に受信したデータを有効に利用することで、再送回数を抑えている。
【０００５】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（Downlink）（即ち、基地局から移動局への方向）の共通チャネルであり、ＨＳ−ＳＣＣＨは、ＨＳ−ＰＤＳＣＨにて送信するデータに関する各種パラメータを送信する制御チャネルである。各種パラメータとしては、例えば、どの変調方式を用いるかを示す変調タイプ（Modulation Scheme）情報、割当てる拡散符号（spreading code）の数（コード数）、送信前に施されるレートマッチング処理のパターン等の情報が挙げられる。
【０００７】
一方、ＨＳ−ＤＰＣＣＨは、上り方向（Uplink）（即ち、移動局から基地局への方向）の個別の制御チャネルである。例えば、ＨＳ−ＰＤＳＣＨを介して基地局から受信したデータの受信可、否の結果をそれぞれＡＣＫ信号、ＮＡＣＫ信号として移動局が基地局に対して送信する際に用いられる。尚、移動局がデータの受信に失敗した場合（受信データがＣＲＣエラーである場合等）は、再送要求としてのＮＡＣＫ信号が移動局から送信されるので、基地局は再送制御を実行することとなる。なお、無線基地局は、ＡＣＫ信号もＮＡＣＫ信号も受信できない場合（ＤＴＸの場合）は、やはり再送制御を行うため、移動局がＡＣＫ信号もＮＡＣＫ信号も送信しない場合ＤＴＸ状態となることも再送要求の１つとして挙げられる。
【０００８】
その他、ＨＳ−ＤＰＣＣＨは、移動局が測定した基地局からの受信信号の受信品質情報（例えばＳＩＲ）をＣＱＩ情報（Channel Quality Indicator）として基地局に送信するためにも用いられる。基地局は、受信したＣＱＩ情報により下り方向の送信形式を変更する。即ち、ＣＱＩ情報が下り方向の無線環境が良好であることを示す場合は、より高速にデータを送信可能な変調方式に送信形式を切りかえ、逆ＣＱＩ情報が下り方向の無線環境が良好でないことを示す場合は、より低速にデータを送信する変調方式に送信形式を切りかえる（即ち、適応変調を行う）。
・「チャネル構造」
次に、ＨＳＤＰＡにおけるチャネル構成について説明する。
図１は、ＨＳＤＰＡにおけるチャネル構成を示すための図である。尚、Ｗ−ＣＤＭＡは、符号分割多重方式を採用するため、各チャネルは符号により分離されている。
【０００９】
まず、説明していないチャネルについて簡単に説明しておく。
ＣＰＩＣＨ（Common Pilot Channel）、Ｐ−ＣＣＰＣＨ（Primary Common Control Physical Channel）は、それぞれ下り方向の共通チャネルである。
【００１０】
ＣＰＩＣＨは、移動局においてチャネル推定、セルサーチ、同一セル内における他の下り物理チャネルのタイミング基準として利用されるチャネルであり、いわゆるパイロット信号を送信するためのチャネルである。Ｐ−ＣＣＰＣＨは、各セルに１つ存在し、報知情報を送信するために使用されるチャネルである。
【００１１】
次に、図１を用いて、チャネルのタイミング関係について説明する。
図のように、各チャネルは、１５個のスロット（各スロットは、２５６０チップ長相当）により１フレーム（１０ｍｓ）を構成している。先に説明したように、ＣＰＩＣＨは他のチャネルの基準として用いられるため、Ｐ−ＣＣＰＣＨ及びＨＳ−ＳＣＣＨのフレームの先頭はＣＰＩＣＨのフレームの先頭と一致している。ここで、ＨＳ−ＰＤＳＣＨのフレームの先頭は、ＨＳ−ＳＣＣＨ等に対して２スロット遅延しているが、移動局がＨＳ−ＳＣＣＨを介して変調タイプ情報を受信してから、受信した変調タイプに対応する復調方式でＨＳ−ＰＤＳＣＨの復調を行うことを可能にするためである。また、ＨＳ−ＳＣＣＨ、ＨＳ−ＰＤＳＣＨは、３スロットで１サブフレームを構成している。
【００１２】
ＨＳ−ＤＰＣＣＨは、上り方向のチャネルであり、その第１スロットは、ＨＳ−ＰＤＳＣＨの受信から約７．５スロット経過後に、受信確認のための応答信号であるＡＣＫ／ＮＡＣＫ信号を移動局から基地局に送信するための用いられる。また、第２、第３スロットは、適応変調制御のためのＣＱＩ情報を定期的に基地局にフィードバック送信するために用いられる。ここで、送信するＣＱＩ情報は、ＣＱＩ送信の４スロット前から１スロット前までの期間に測定した受信環境（例えば、ＣＰＩＣＨのＳＩＲ測定結果）に基づいて算出される。
【００１３】
図２に、ＣＰＩＣＨのＳＩＲ（Signal to Interference Ratio）を用いる場合のＣＱＩテーブルを示す。
【００１４】
図に示すように、テーブルは、ＣＱＩ情報１〜３０のそれぞれについてＴＢＳ（Transport Block Size）ビット数、コード数、変調タイプ、ＣＰＩＣＨ−ＳＩＲの対応関係を定義している。
【００１５】
ここで、ＴＢＳビット数は１サブフレーム内で送信するビット数、コード数はＨＳ−ＰＤＳＣＨの送信に利用する拡散コードの数、変調タイプはＱＰＳＫ、ＱＡＭのいずれを用いるかを示している。
【００１６】
図から明らかなように、ＣＰＩＣＨのＳＩＲが良好な（ＳＩＲが大きい）ほど、ＣＱＩも大きい値となる。ＣＱＩが大きくなるほど、対応するＴＢＳビット数、拡散コード数も多くなり、変調方式もＱＡＭ変調方式に切り替わるのであるから、結局、ＳＩＲが良好なほど、伝送速度が速くなることが分かる。但し、使用する無線リソース（拡散コード等）の消費も高まることとなる。
【００１７】
図に示したテーブルは、例えば、移動局が有するメモリに記憶される。移動局は先に説明したように、受信環境測定期間においてＣＰＩＣＨのＳＩＲを定期的に測定し、記憶したテーブルを参照して測定したＳＩＲに対応するＣＱＩを特定して定期的に基地局へ送信する。
【００１８】
基地局は、受信したＣＱＩ情報に従って、先に説明した適応変調制御を実行することにより、移動局におけるＣＰＩＣＨの受信環境を考慮した送信制御が達成されるのである。
以上が、ＨＳＤＰＡのチャネル構成の簡単な説明である。
【００１９】
上述した、ＨＳＤＰＡに関する事項は、例えば次の非特許文献１に開示されている。
【非特許文献１】３Ｇ  ＴＳ  ２５．２１２（3rd Generation Partnership Project: TechnicalSpecification Group Radio Access Network ; Multiplexing and channel coding (FDD)）V6.2.0 (2004年６月)
【発明の開示】
【発明が解決しようとする課題】
【００２０】
先に説明した背景技術によれば、移動局は下り信号についての受信品質を定期的に測定し、適応変調制御に用いられるパラメータ情報（ＣＱＩ情報）を定期的に無線基地局に向けて送信するため、移動局と無線基地局との間の無線環境を考慮した送信制御が円滑に行われる。
【００２１】
しかし、ＣＱＩ情報の送信周期が長い場合や、１回の測定に対して複数回繰返して同じＣＱＩ情報を送信する場合等に、基地局で適応変調制御を実際に行う際の移動局との間の無線環境と適応変調制御に用いられるＣＱＩ情報との間に不整合が生じやすくなる。
【００２２】
従って、本発明の目的の１つは、無線環境の変化を考慮した無線通信装置、移動局を提供することである。
【００２３】
また、先に説明したＣＱＩテーブルは、基地局から送信された信号の受信品質が各値（０．５ｄＢ、…）となる場合に、ある一定の基準エラーレイトを満たし得る送信形式が選択されるように設定することが望ましい。
【００２４】
しかし、実環境においては、受信品質に応じたＣＱＩ値をこのテーブルの参照により求めたのでは、基準エラーレイトを満たさいことがある。
【００２５】
例えば、移動局が測定した受信品質が、ＳＩＲ＝２．５ｄＢであった場合は、ＣＱＩ＝３を無線基地局に向けて送信し、無線基地局は、ＣＱＩ＝３に対応するビット（２３３ビット）のデータをトランスポートブロックとして用い、対応するコード数（１）を送信時に使用する拡散コードの数として用い、対応する変調タイプを変調方法（ＱＰＳＫ）として用いることとなる。
【００２６】
しかし、実際には、無線環境はもっと高速な伝送が可能であり、移動局では基準エラーレイトを過度に下回る品質でデータを受信してしまい、いわゆる過剰品質状態となることがある。
【００２７】
もちろん、状況によっては、過剰品質の逆である過小品質状態となることもある。
【００２８】
そこで、本発明の他の目的の１つは、過剰品質又は過小品質を抑制することである。
【００２９】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００３０】
（１）本発明では、適応変調制御を行う送信装置に対して該適応変調制御に用いられるパラメータを送信する通信装置において、該送信装置からの受信信号に基づいて無線環境の変化を監視する無線環境監視部と、該送信装置からの受信信号の受信品質と、前記適応変調制御に用いるパラメータとの対応関係を記憶する記憶部と、該無線環境監視部により前記無線環境の変化が良好な方向へ変化していることを検出すると、測定した受信品質に対応するパラメタータよりも更に高速な送信形式に対応するパラメータを選択するパラメータ生成部と、該選択したパラメータを送信する送信部と、を備えたことを特徴とする無線通信装置を用いる。
（２）本発明では、適応変調制御を行う送信装置に対して該適応変調制御に用いられるパラメータを送信する通信装置において、該送信装置からの受信信号に基づいて無線環境の変化を監視する無線環境監視部と、該送信装置からの受信信号の受信品質と、前記適応変調制御に用いられるパラメータとの対応関係を記憶する記憶部と、該無線環境監視部により前記無線環境の変化が良好でない方向へ変化していることを検出すると、測定した受信品質に対応するパラメタータよりも更に低速な送信形式に対応するパラメータを選択するパラメータ生成部と、該選択したパラメータを送信する送信部と、を備えたことを特徴とする無線通信装置を用いる。
（３）ＨＳＤＰＡに対応し、無線基地局が行う適応変調制御に用いるＣＱＩ情報を送信する移動局において、該無線基地局からの受信信号に基づいて無線環境の変化を監視する無線環境監視部と、該監視部による監視結果に応じて、該無線基地局からの受信品質の変化の方向を反映したＣＱＩ情報を生成するＣＱＩ生成部と、該生成したＣＱＩ情報を前記無線基地局に送信する送信部と、を備えたことを特徴とする移動局を用いる。
（４）本発明では、適応変調制御を行う送信装置に対して該適応変調制御に用いられるパラメータを送信する通信装置において、該適応変調制御により送信されたデータについて測定したエラーレイトと基準エラーレイトとの関係に基づいて、前記適応変調制御に用いるパラメータを生成する生成部と、該生成したパラメータを送信する送信部と、を備えたことを特徴とする無線通信装置を用いる。
（５）該送信装置からの受信信号の受信品質と、前記適応変調制御に用いられるパラメータとの対応関係を記憶した記憶部を備え、前記生成部は、測定した受信品質に対応するパラメータを、測定したエラーレイトと基準エラーレイトとの大小関係により補正して前記生成を行う、ことを特徴とする（４）記載の無線通信装置を用いる。
（６）ＨＳＤＰＡに対応し、無線基地局が行う適応変調制御に用いられるＣＱＩ情報を送信する移動局において、ＨＳ−ＰＤＳＣＨを介して受信したデータのエラーレイトと基準エラーレイトとの大小関係に応じて、ＣＰＩＣＨの受信品質に対応するＣＱＩ情報を補正するＣＱＩ生成部と、補正後のＣＱＩ情報を送信する送信部と、を備えたことを特徴とする移動局を用いる。
【発明の効果】
【００３１】
本発明にかかる通信装置によれば、無線環境の変化を考慮した無線通信装置、移動局を提供することができる。
【００３２】
また、本発明によれば、過剰品質又は過小品質を抑制することができる。
【発明を実施するための最良の形態】
【００３３】
以下、図面を参照することにより、本発明の実施の形態について説明する。
【００３４】
〔ａ〕第１実施形態の説明
・「無線通信装置の構成」
図３は、本発明に係る通信装置を示す図である。無線通信装置の１例としてＨＳＤＰＡを採用したＷＣＤＭＡ（ＵＭＴＳ）に対応した移動通信システムにおいて用いられる移動局を例に挙げて説明する。もちろん、他の移動通信システムにおいて用いられる無線通信装置に適用することも可能である。
【００３５】
図において、１はアンテナ、２はデュプレクサ、３は復調部、４はＨＳ−ＳＣＣＨ受信処理部、５はＨＳ−ＰＤＳＣＨ受信処理部、６はＭＡＣ−ｄ処理部、７はＲＬＣ−Ｄ処理部、８はＴＥ（Terminal Equipment）、９はＲＬＣ−Ｃ処理部、１０はＲＲＣ処理部、１１はＣＱＩ生成部、１２は再送制御部、１３は送信処理部、１４は無線環境監視部を示す。
【００３６】
移動局は、下りチャネル（例えば、ＣＰＩＣＨ、Ｐ−ＣＣＰＣＨ、ＨＳ−ＳＣＣＨ、ＨＳ−ＰＤＳＣＨ等）についてアンテナ１により受信し、デュプレクサ２を介して復調部３へ与える。
【００３７】
復調部３は、受信信号についての直交検波等の受信処理を施して復調信号をＨＳ−ＳＣＣＨ受信処理部４、ＨＳ−ＰＤＳＣＨ受信処理部５に与える。また、復調部３は、無線基地局からの受信信号（例えば、ＣＰＩＣＨ）の受信品質（例えば、ＳＩＲ）を測定して、測定結果をＣＱＩ生成部１１、無線環境監視部１４に与える。
【００３８】
尚、受信環境の測定は、例えば、ＣＱＩ情報を送信するスロットに対して４スロット前から１スロット前までの期間で定期的に測定することができ、測定毎に測定結果を送信することができる。測定周期は他にも様々考えられるが、２０ｍｓ内で１回測定を行ない、同じ測定結果を第１〜第４サブフレームで繰返して送信し、残りの６サブフレームは送信を休止し、次の無線フレームでまた１回測定し、同様に所定のサブフレームで送信を行うこともできる。
【００３９】
このように、無線基地局へのＣＱＩ値の送信に必要とされる最低限の測定周期を基準測定周期と呼ぶこととする。
【００４０】
測定頻度を増加させないという側面からは、ＣＱＩ生成部１１、無線環境監視部１４へ与えるための測定は共通の基準測定周期とすることもできる。
【００４１】
しかし、無線環境監視部１４において、無線環境の変化（受信品質の変化）を、より正確に検出したい場合には、基準測定周期による測定期間外についても受信品質（受信ＳＩＲ）の測定を行うことが望ましい。
【００４２】
ＨＳ−ＳＣＣＨ受信処理部４は、図１に示したＨＳ−ＳＣＣＨを介して送信される信号を受信するための受信処理部であり、ＨＳ−ＳＣＣＨの各第１スロットを受信し、復調、復号することで、自局宛てのメッセージがあるかどうか判定する。
【００４３】
第１スロットは、Ｘｃｃｓ（Channelization Code Set information）、Ｘｍｓ（Modulation Scheme information）が畳み込み符号化されＸｕｅ（User Equipment identity）が乗算された信号が送信されるスロットであり、移動局は、自局のＸｕｅを用いて、逆の演算処理、復号処理を施すことで、自局宛てのメッセージかどうかを判断することができる。自局宛てであると判定した場合は、ＨＳ−ＳＣＣＨの残りのスロットの受信を行うとともに、２スロット遅れで送信されるＨＳ−ＰＤＳＣＨの受信を試みる。
【００４４】
ここで、ＨＳ−ＰＤＳＣＨの受信を行う際には、Ｘｃｃｓで指定された逆拡散コードのセット、Ｘｍｓで指定された変調方式に対応する復調方式で復調を行うこととなる。尚、ＨＳ−ＳＣＣＨの２スロット以降には、Ｘｔｂｓ（Transport Block Size information）、Ｘｈａｐ（Hybrid ARQ Process information）、Ｘｒｖ（Redundancy and constellation Version）、Ｘｎｄ（New Data indicator）が含まれる。これらの情報の意味、役割は周知であるので説明を省略する。
【００４５】
ＨＳ−ＰＤＳＣＨ受信処理部５は、ＨＳ−ＳＣＣＨ受信処理部４で自局宛てのメッセージがあった場合に、受信処理を実行し、復調、復号結果をＭＡＣ−ｄ処理部６に出力する。
【００４６】
また、復号結果についてのエラーの検出結果（例えば、ＣＲＣエラーの有無）を再送制御部１２（また、後述する無線環境監視部１４、誤り率算出部１５）に与える。
・「ＨＳ−ＰＤＳＣＨ受信処理部の詳細な構成」
ここで、ＨＳ−ＰＤＳＣＨ受信処理部５の詳細な構成について図４を用いて説明する。
【００４７】
図４は、ＨＳ−ＰＤＳＣＨ受信処理部（ＭＡＣ−ｈｓ処理部）５の詳細構成を示す図である。但し、送信側で行われるレートマッチング処理、インタリーブ等に対応する処理であるデレートマッチング処理、デインタリーブ処理については図示を略しているが、レートマッチングにより削除されたビット部分に尤度０のデータを挿入したり、レートマッチング処理により並び替えられたデータの順を元に戻す処理がそれぞれ適所において実行される。
【００４８】
５１はＨ−ＡＲＱ合成部、５２はチャネル復号化部（Channel Decoder）、５３ＣＲＣチェック部、５４はリオーダリング処理部、５５はディスアセンブリ処理部を示す。
【００４９】
ＨＳ−ＰＤＳＣＨを介して受信し、復調部３で復調された後のデータは、Ｈ−ＡＲＱ合成処理部５１に与えられる。Ｈ−ＡＲＱ合成処理部５１は、Ｈ−ＡＲＱ合成処理を行うための処理部であり、移動局が新規送信と判断した場合の受信データについては、メモリに記憶している受信データ等との合成を行うことなく、そのままチャネル復号化部５２に引き渡す。
【００５０】
一方、移動局が再送信と判断した場合の受信データについては、メモリに記憶している受信データと合成してからチャネル復号化部５２に引き渡される。ここで、合成の例としては、復調後のデータに含まれる尤度情報を平均化したり、不足ビットを互いに補完する等が上げられる。
【００５１】
尚、新規送信と再送信の識別は、ＨＳ−ＳＣＣＨを介して送信されたＸnd（New Data indicator）等を用いて判断することができる。例えば、Ｘｎｄが１から０に変化した場合は、その変化した０により新規送信に切り替わったことが検出され、Ｘｎｄが１のままであれば、変化無しにより再送信であることが検出される。
【００５２】
さて、新規送信時の受信データ又は再送信時の合成後の合成データは、チャネル復号化部５２に与えられることとなるが、ここでは、これらの入力データに対してターボ復号（Turbo Decode）処理等の誤り訂正復号処理が実行される。
【００５３】
従って、受信データや合成データに誤りが含まれる場合であっても、誤り訂正により誤りの改善されたデータがチャネル復号化部５２から出力されることとなる。
【００５４】
復号後のデータは、ＣＲＣチェック部５３により誤り検出処理が実行され、エラーの有無情報が再送制御部１２（無線環境監視部１４、誤り率算出部１５）に与えられる。
【００５５】
尚、エラー有りの場合はＮＡＣＫ信号、エラー無しの場合はＡＣＫ信号が送信処理部１３から無線基地局に送信され、無線基地局は、ＮＡＣＫ信号の受信又はＡＣＫ信号もＮＡＣＫ信号も受信できない場合に再送信の制御を行うこととなる。
【００５６】
ＣＲＣチェック部５３により誤りが検出されなかったデータは、リオーダリング処理部５４に与えられる。
【００５７】
リオーダリング処理部５４は、誤りの検出されなかったデータ（ＭＡＣ−ｈｓ  ＰＤＵ）に含まれる順序情報（例えば、ＴＳＮ）に基づいて並び替え処理（リオーダリング）を行い、並び替え後のデータをディスアセンブリ処理部５５に与える。
【００５８】
ディスアセンブリ処理部５５は、ヘッダの削除処理等を行って、ＭＡＣ  ＰＤＵ（ＲＬＣ  ＰＤＵ））を、ＭＡＣ−ｄ処理部６に与えることとなる。
【００５９】
尚、リオーダリング処理部５４は、並び替え処理時において順番抜けが発生していることを検出するとＴ１タイマを起動し、所定時間経過するまでに順番抜けが解消しない場合は、順番抜けを含むデータ列をディスアセンブリ処理部５５を介してＭＡＣ−ｄ処理部６に引き渡し、上位レイヤであるＲＬＣレイヤにおける再送制御にゆだねることとなる。
【００６０】
さて、図３を用いた説明に戻ると、ＭＡＣ−ｄ処理部６は、ＨＳ−ＰＤＳＣＨ受信処理部５からのデータについて秘匿の解除処理を行って、ユーザデータ系のデータは、ＲＬＣ−Ｄ処理部７へ与え、秘匿解除後の制御信号系のデータは、ＲＬＣ−Ｃ処理部９へ与える。
【００６１】
ＲＬＣーＤ処理部９は、ＭＡＣ  ＰＤＵ（ＲＬＣ  ＰＤＵ）に含まれるシーケンスナンバを用いた並び替え（リオーダリング）を行い、順番抜けの検出及び、ポーリングビットのチェックを行なう。
【００６２】
ここで、順番抜けを検出した場合、ＲＬＣ−Ｄ処理部７は、ＲＬＣ−Ｃ処理部９と連携して、別途確立している個別物理チャネル（ＤＰＣＨ）を介して、ＲＬＣレイヤにおける再送制御のためのＮＡＣＫ信号を無線基地局に向けて送信するように送信処理部１３を制御する。
【００６３】
また、ＲＬＣ−Ｃ処理部９は、ポーリングビットがＰＤＵの状態（例えば、順番抜けの発生状況等）を報告するように要求する設定となっていることを検出した場合に、同様に別途確立している個別物理チャネル（ＤＰＣＨ）を介して、シーケンスナンバの順番抜けの発生状況をチェックし、順番抜けが発生していなければＡＣＫ信号、発生していればＮＡＣＫ信号を同様のＤＰＣＨを介して送信するように送信処理部１３を制御する。
【００６４】
また、ＲＬＣ−Ｃ処理部９は、無線基地局から受信した制御データのうち、適宜必要とされる制御データを無線リソース制御を行うＲＲＣ処理部１０に対して与える。
【００６５】
さて、ＲＬＣ−Ｄ処理部７でリオーダリング処理を施されたデータは、移動局の不図示の出力部（表示部、音声出力部等）から出力したり、ＴＥ（終端装置）８に引き渡し、外部装置へ伝送（転送）することで、外部装置側で出力することもできる。
・「ＣＱＩ生成部１１のＣＱＩ生成処理」
先に説明したように、ＣＱＩ生成部１１には、復調部３から無線基地局からの受信信号の受信品質情報（例えば、ＣＰＩＣＨの受信ＳＩＲ）と、無線環境監視部１４において行なわれた無線環境の監視結果が入力されている。
【００６６】
無線環境監視部１４は、復調部３から取得した受信品質に基づいて、受信品質（無線環境）の変化の方向を検出する。尚、受信品質の取得は、基準周期に取得する場合又は基準周期の期間外においても取得する場合がある。
【００６７】
例えば、受信品質としてＣＰＩＣＨの受信ＳＩＲが入力される場合は、時間的に前後する受信ＳＩＲを用いて受信ＳＩＲが増加したか、減少したかを判定し、判定結果をＣＱＩ生成部１１へ与える。
【００６８】
他にも、受信ＳＩＲの単位時間あたりの変化の程度に応じて、激増、微増、微減、激減等のステータスのいずれかに分類し、対応するステータスを無線環境の変化の方向に関する情報としてＣＱＩ生成部１１へ与えることもできる。
【００６９】
さて、ＣＱＩ生成部１１は、不図示のメモリ（記憶部）にＣＱＩテーブル、即ち、ＣＰＩＣＨの受信品質と適応変調制御に用いるパラメータであるＣＱＩ情報との対応関係を記述した情報を記憶している。
【００７０】
従って、復調部３からＣＰＩＣＨについて測定した受信ＳＩＲを入力されると、ＣＱＩ情報の無線基地局への報告タイミングに間に合うように、入力された受信ＳＩＲに対応するＣＱＩ値をＣＱＩテーブルを参照して読み出す。
【００７１】
そして、別途入力された無線環境の変化の方向に関する情報に従って、読み出したＣＱＩ値を補正する。
【００７２】
例えば、無線環境の変化の方向が良好となる方向（受信ＳＩＲが増大）であれば、ＣＱＩ値を適応変調制御により高速な送信形式が選択され得る側の値に補正する（ＣＱＩ値を大きく補正する）のである。
【００７３】
逆に、無線環境の変化の方向が良好でない方向（受信ＳＩＲが減少）であれば、ＣＱＩ値を適応変調制御により、低速な送信形式が選択され得る側の値に補正する（ＣＱＩ値を小さく補正する）のである。
【００７４】
いずれにしても、無線基地局からの受信品質の変化の方向を反映したＣＱＩ情報がＣＱＩ生成部１１により生成されており、ＣＱＩ生成部１１で生成されたＣＱＩ値は送信処理部１３から無線基地局に対してＨＳ−ＤＰＣＣＨを介して送信される。
【００７５】
尚、ＣＱＩ値の測定周期間に複数回ＣＱＩ値を無線基地局に向けて送信する場合には、この複数回の送信に際して、順にＣＱＩ値を大きく又は小さく補正していくことも考えられる。尚、順にＣＱＩ値を補正する際には、受信品質の測定を行わないでもよい。
【００７６】
即ち、この複数回の最初の送信では、受信ＳＩＲに対応するＣＱＩ値をそのまま無線基地局に対して送信し、無線環境が良好な方向に変化していることが検出されていればＣＱＩ値を順に増大させて送信し、逆に、無線環境が良好でない方向に変化してることが検出されていればＣＱＩ値を順に減少させて送信することが望ましい。
【００７７】
これにより、受信品質の測定周期が長い場合であっても、無線環境の変化の方向に応じてＣＱＩ値が増加又は減少するため、無線環境の変化に沿った適応変調制御が可能となるからである。
【００７８】
以上のように、この実施形態によれば、無線環境の変化を考慮した無線通信装置、移動局を提供することができる。
【００７９】
尚、上記の実施形態では、無線環境監視部１４は、ＣＱＩ生成部１１と同様に、ＣＰＩＣＨ等の受信品質（復号前の無線処理部における受信品質）を用いているが、ＨＳ−ＰＤＳＣＨ受信処理部５からエラー情報を取得し、エラー率を監視することとしてもよい。
【００８０】
例えば、ＨＳ−ＰＤＳＣＨ受信処理部５内のＣＲＣチェック部５３は、ＨＳ−ＰＤＳＣＨを介して受信し、復号した後のデータについて誤り検出（ＣＲＣエラーチェック）を行うが、そのチェック結果を無線環境監視部１４へ与える。
【００８１】
無線環境監視部１４は、与えられた誤り検出結果により、無線環境の変化の方向を判定して、その判定結果をＣＱＩ生成部１１へ与えるのである。
【００８２】
ＣＱＩ生成部１１は、無線基地局へ送信するＣＱＩ情報を生成する際に、誤り率が増加する傾向にある場合は、ＣＱＩテーブルを用いて特定したＣＱＩ値を小さい値に補正、誤り率が減少する傾向にある場合は、ＣＱＩテーブルを用いて特定したＣＱＩ値を大きい値に補正するのである。
【００８３】
もちろん、読み出したＣＱＩ値を補正せず、ＣＱＩテーブルを参照する際に用いる受信ＳＩＲ値を補正（誤り率増加であればＳＩＲ値を減少、誤り率減少であればＳＩＲを増加）し、対応するＣＱＩ値を読み出すことで、無線環境の変化をＣＱＩ生成に反映させることもできる。
【００８４】
〔ｂ〕第２実施形態の説明
第２実施形態では、ＨＳ−ＰＤＳＣＨを介して受信したデータのエラーレイトに基づいてＣＱＩ値の補正を行うこととする。
【００８５】
先に説明したように、ＣＱＩテーブルは、理想的には、ＨＳ−ＰＤＳＣＨを介して受信するデータのエラー品質は、希望する所定の基準値の近傍（基準値以下）となる。
【００８６】
しかし、実環境においては、必ずしもＣＱＩテーブルに従うことが適切な適応変調制御をもたらすというとはいえないことがある。
【００８７】
従って、この実施形態では、ＨＳ−ＰＤＳＣＨ５内のＣＲＣチェック部５３から誤り検出情報を誤り率算出部１５に与えることとする。
【００８８】
誤り率算出部１５は、誤り検出情報に従って、誤り検出ブロック数／受信データブロック数を計算することで誤り率を算出し、算出結果をＣＱＩ生成部１１へ与える。
【００８９】
ＣＱＩ生成部１１は、与えられた誤り率を一定基準の誤り率と比較し、基準を下回る場合（好ましくは所定の差分をもって下回る場合）は、実環境に対して、ＣＱＩテーブルを用いて算出しているＣＱＩ値は小さい値にずれていると判断して、ＣＱＩ値を大きい値に補正する処理を行う。
【００９０】
逆に基準を上回る場合（好ましくは所定の差分をもって上回る場合）は、実環境に対して、ＣＱＩテーブルを用いて算出しているＣＱＩ値は大きい値にずれていると判断して、ＣＱＩ値を小さい値に補正する処理を行う。
【００９１】
従って、送信処理部１３は、このようにＨＳ−ＰＤＳＣＨを介して受信したデータの誤り率に基づいてＣＱＩ値の補正がなされたＣＱＩ値を送信するため、過剰又は過小品質でＨＳ−ＰＤＳＣＨの送信が行われることを抑制することができることとなる。
【００９２】
しかも、ＣＱＩテーブル自体の書換えは行わないため、特殊環境化におけるＣＱＩ値の補正制御を行った後においても、ＣＱＩテーブルを用いたＣＱＩ生成制御に戻ることも容易である。
〔ｃ〕第３実施形態の説明
第３実施形態では、第１実施形態におけるＣＱＩ値の補正処理をある条件に従って実行することとする。
【００９３】
即ち、ＣＱＩ値は無線基地局に対して所定の周期で測定、送信することとなるが、その測定又は送信周期が所定の基準に対して長い場合は、先に説明したＣＱＩ値の補正処理を行って、逆に所定の基準に対して短い場合は、このような補正処理を行わない（好ましくは、先に説明したＣＱＩ値の補正処理を行わず、復調部３からの受信ＳＩＲ情報を元に、ＣＱＩテーブルを参照して求めたＣＱＩ値をそのまま送信する）のである。
【００９４】
測定周期、送信周期が短い場合は、無線環境の反映がある程度行えているが、測定周期、送信周期が長い場合は、無線環境の反映が不十分と考えられるからである。
【図面の簡単な説明】
【００９５】
【図１】ＨＳＤＰＡにおけるチャネル構成を示す図である。
【図２】ＣＱＩテーブルの例を示す図である。
【図３】本発明に係る無線通信装置（移動局）を示す図である。
【図４】本発明に係るＨＳ−ＰＤＳＣＨ受信処理部の詳細構成を示す図である。
【図５】本発明に係る無線通信装置（移動局）を示す図である。
【符号の説明】
【００９６】
１    アンテナ
２    デュプレクサ
３    復調部
４    ＨＳ−ＳＣＣＨ受信処理部
５    ＨＳ−ＰＤＳＣＨ受信処理部
６    ＭＡＣ−ｄ処理部
７    ＲＬＣ−Ｄ処理部
８    ＴＥ
９    ＲＬＣ−Ｃ処理部
１０  ＲＲＣ処理部
１１  ＣＱＩ生成部
１２  再送制御部
１３  送信処理部
１４  無線環境監視部
１５  誤り率算出部
５１  Ｈ−ＡＲＱ合成処理部
５２  チャネル復号化部
５３  ＣＲＣチェック部
５４  リオーダリング処理部
５５  ディスアセンブリ処理部
【図１】
2006157133.tif 000003
【図２】
2006157133.tif 000004
【図３】
2006157133.tif 000005
【図４】
2006157133.tif 000006
【図５】
2006157133.tif 000007